(57)【要約】【課題】ビニールハウスを構成するパイプ材を利用して他の部材、特に、強風によりドアが内側へ吹き飛ばされるのを防止する閂等の長尺部材を保持するための保持金具およびこれを用いた保持装置の提供。【解決手段】ビニールハウスを構成するパイプ材に取り付けられる保持金具１であって、保持対象部材を下から支持する底板部２Ａと、底板部２Ａの左右方向両端部からそれぞれ上方へ延びる第１側板部２Ｂおよび第２側板部２Ｃであり、それぞれパイプ材に取り付けるために貫通させた取付孔２１が上下に並設された第１側板部２Ｂおよび第２側板部２Ｃとにより、上方が開放された略コの字状の保持部２０が形成された保持金具本体２であり、第１側板部２Ｂの取付孔２１の中心から保持部２０までの幅と第２側板部２Ｃの取付孔２１の中心から保持部２０までの幅とが異なる保持金具本体２を含む。【選択図】図６
2018093774.tif 000002
【特許請求の範囲】
【請求項１】
ビニールハウスを構成するパイプ材に取り付けられる保持金具であって、
保持対象部材を下から支持する底板部と、前記底板部の左右方向両端部からそれぞれ上方へ延びる第１側板部および第２側板部であり、それぞれ前記パイプ材に取り付けるために貫通させた取付孔が上下に並設された第１側板部および第２側板部とにより、上方が開放された略コの字状の保持部が形成された保持金具本体であり、前記第１側板部の取付孔の中心から前記保持部までの幅と前記第２側板部の取付孔の中心から前記保持部までの幅とが異なる保持金具本体を含む保持金具。
【請求項２】
前記パイプ材を挟んで前記保持金具本体の前記第１側板部の取付孔または前記第２側板部の取付孔にボルト・ナットにより共締めされる取付金具を含む請求項１記載の保持金具。
【請求項３】
前記第１側板部および前記第２側板部は、前記取付金具により前記第１側板部の取付孔または前記第２側板部の取付孔に前記ボルト・ナットにより共締めされた際に、前記パイプ材周りに前記取付金具が回転可能な隙間を確保するための空間を形成する空間形成部を有する請求項２記載の保持金具。
【請求項４】
前記ビニールハウスのドアを挟む位置にあるパイプ材にそれぞれ請求項１から３のいずれか１項に記載の保持金具を備えた保持装置。
【請求項５】
前記ビニールハウスの複数のパイプ材の同じ高さの位置にそれぞれ請求項１から３のいずれか１項に記載の保持金具を備えた保持装置。
【発明の詳細な説明】
【技術分野】
【０００１】
本発明は、ビニールハウスを構成するパイプ材を利用して他の部材、特に、閂等の長尺部材を保持するための保持金具およびこれを用いた保持装置に関する。
【背景技術】
【０００２】
従来、ビニールハウスの出入口にドアを左右スライド自在に取り付け、ビニールハウス内の温度環境の安定化を図ることが行われている。例えば、特許文献１には、ビニールハウスの出入口下方にパイプ状レールを、上方にガイドレールを敷設し、パイプ状レールとガイドレールとの間に左右スライド自在にドア本体を介設し、ドア本体は上辺フレームと左右縦フレームと下辺フレームとにより矩形状に構成し、下辺フレームは、下方開口の断面略コ字状の基枠により構成すると共に、基枠にはドア本体に張設するビニールシートの取付が可能なシート装着部を設けると共に、基枠のコ字状の内外側板間にはパイプ状レール上を転動可能なコロを軸架したドア構造が開示されている。
【先行技術文献】
【特許文献】
【０００３】
【特許文献１】特開２０１６−２１９１２号公報
【発明の概要】
【発明が解決しようとする課題】
【０００４】
ところで、このようにビニールハウスの出入口に設けられているドアは、左右スライド自在に取り付けられているため、強風が吹いたときにビニールハウスの内側へ吹き飛ばされてしまうことがある。従来、このような問題に対してドアの取っ手を縛り付けたり、木材を当てて固定したりしているが、脱着が面倒であったり、不要時に木材が邪魔になったりという新たな問題が発生している。
【０００５】
そこで、本発明においては、ビニールハウスを構成するパイプ材を利用して他の部材、特に、強風によりドアが内側へ吹き飛ばされるのを防止する閂等の長尺部材を保持するための保持金具およびこれを用いた保持装置を提供することを目的とする。
【課題を解決するための手段】
【０００６】
本発明の保持金具は、ビニールハウスを構成するパイプ材に取り付けられる保持金具であって、保持対象部材を下から支持する底板部と、底板部の左右方向両端部からそれぞれ上方へ延びる第１側板部および第２側板部であり、それぞれパイプ材に取り付けるために貫通させた取付孔が上下に並設された第１側板部および第２側板部とにより、上方が開放された略コの字状の保持部が形成された保持金具本体であり、第１側板部の取付孔の中心から保持部までの幅と第２側板部の取付孔の中心から保持部までの幅とが異なる保持金具本体を含む保持金具である。
【０００７】
本発明の保持金具によれば、保持金具本体の第１側板部または第２側板部のいずれか一方を選択的にパイプ材に向け、その取付孔を用いてパイプ材に取り付けることにより、パイプ材から保持部までの距離を変えることが可能である。したがって、例えばビニールハウスのドアを挟む位置にあるパイプ材にそれぞれこの保持金具を取り付けて閂等の長尺部材の保持装置とする場合、ドアの厚さや、閂等の長尺部材の形状および太さ等に応じてパイプ材から保持部までの距離を変え、この保持装置に閂等の長尺部材を保持して、強風によりドアが内側へ吹き飛ばされるのを防止することが可能となる。
【０００８】
また、本発明の保持金具は、パイプ材を挟んで保持金具本体の第１側板部の取付孔または第２側板部の取付孔にボルト・ナットにより共締めされる取付金具を含むものとすることができる。これにより、保持金具本体の第１側板部または第２側板部のいずれか一方を選択的にパイプ材に向け、その取付孔を用いてパイプ材に取り付ける際に、この取付金具を用いてパイプ材を挟み、ボルト・ナットにより取付孔に共締めすることにより、容易に保持金具をパイプ材に取り付けることが可能となる。また、保持金具が不要な場合には、保持金具本体がパイプ材を挟んで取り付けられているため、ボルト・ナットを緩めることで、パイプ材周りに保持金具本体を回転させて畳むことが可能となる。
【０００９】
ここで、第１側板部および第２側板部は、取付金具により第１側板部の取付孔または第２側板部の取付孔にボルト・ナットにより共締めされた際に、パイプ材周りに取付金具が回転可能な隙間を確保するための空間を形成する空間形成部を有することが望ましい。これにより、保持金具が不要な場合には、パイプ材周りに取付金具が回転可能な隙間が確保されているため、ボルト・ナットを緩めることなく、パイプ材周りに保持金具本体を回転させて畳むことが可能となる。
【発明の効果】
【００１０】
（１）ビニールハウスを構成するパイプ材に取り付けられる保持金具であって、保持対象部材を下から支持する底板部と、底板部の左右方向両端部からそれぞれ上方へ延びる第１側板部および第２側板部であり、それぞれパイプ材に取り付けるために貫通させた取付孔が上下に並設された第１側板部および第２側板部とにより、上方が開放された略コの字状の保持部が形成された保持金具本体であり、第１側板部の取付孔の中心から保持部までの幅と第２側板部の取付孔の中心から保持部までの幅とが異なる保持金具本体を含む構成により、保持金具本体の第１側板部または第２側板部のいずれか一方を選択的にパイプ材に向け、パイプ材から保持部までの距離を変えて、ビニールハウスを構成するパイプ材を利用して他の部材、特に、強風によりドアが内側へ吹き飛ばされるのを防止する閂等の長尺部材を保持することが可能となる。
【００１１】
（２）パイプ材を挟んで保持金具本体の第１側板部の取付孔または第２側板部の取付孔にボルト・ナットにより共締めされる取付金具を含む構成により、容易に保持金具をパイプ材に取り付けることが可能となる。また、保持金具が不要な場合には、ボルト・ナットを緩めることで、パイプ材周りに保持金具本体を回転させて畳むことが可能となる。
【００１２】
（３）第１側板部および第２側板部が、取付金具により第１側板部の取付孔または第２側板部の取付孔にボルト・ナットにより共締めされた際に、パイプ材周りに取付金具が回転可能な隙間を確保するための空間を形成する空間形成部を有する構成により、保持金具が不要な場合には、ボルト・ナットを緩めることなく、パイプ材周りに保持金具本体を回転させて畳むことが可能となる。
【図面の簡単な説明】
【００１３】
【図１】本発明の実施の形態における保持金具本体の斜視図である。
【図２】図１の保持金具本体の正面図である。
【図３】図１の保持金具本体の底面図である。
【図４】図１の保持金具本体の背面図である。
【図５】取付金具の斜視図である。
【図６】保持金具本体の第１側板部の取付孔を用いて取り付ける例を示す斜視図である。
【図７】保持金具本体の第２側板部の取付孔を用いて取り付ける例を示す斜視図である。
【図８】ビニールハウスのドアの閂（角パイプ）を保持する保持装置としての使用例を示す斜視図である。
【図９】図８のＩＸ部拡大図である。
【図１０】保持対象部材として、ビニールハウスのドアの閂（丸パイプ）を保持する保持装置としての使用例を示す斜視図である。
【図１１】図１０のＸＩ部拡大図である。
【発明を実施するための形態】
【００１４】
図１は本発明の実施の形態における保持金具本体の斜視図、図２は正面図、図３は底面図、図４は背面図、図５は取付金具の斜視図である。
【００１５】
図１〜図４に示すように、本発明の実施の形態における保持金具１（図６参照。）を構成する保持金具本体２は、保持対象部材を下から支持する底板部２Ａと、底板部２Ａの左右方向両端部からそれぞれ上方へ延びる第１側板部２Ｂおよび第２側板部２Ｃとにより、上方が開放された略コの字状の保持部２０が形成されたものである。この保持金具１は、図５に示す取付金具３を用いてビニールハウスを構成するパイプ材に取り付けられる。
【００１６】
第１側板部２Ｂおよび第２側板部２Ｃには、それぞれパイプ材４Ａ，４Ｂに取り付けるために貫通させた円形の取付孔２１が上下に並設されている。なお、第１側板部２Ｂの取付孔２１の中心から保持部２０までの幅Ｗ１と第２側板部２Ｃの取付孔２１の中心から保持部２０までの幅Ｗ２とは異なるもの（例えば、Ｗ１／Ｗ２＝１．２〜２．５程度）となっている。
【００１７】
本実施形態における保持金具本体２は、１枚の鋼板から形成されている。底板部２Ａの上端部は板厚方向に曲げられ、保持対象部材を下から支持する支持面２２Ａを形成している。第１側板部２Ｂおよび第２側板部２Ｃは、共に保持部２０側の端部が板厚方向に曲げられ、保持対象部材を左右から支持する支持面２２Ｂ，２２Ｃを形成している。
【００１８】
また、第１側板部２Ｂおよび第２側板部２Ｃのそれぞれの外側端部は、図３に示すように断面凹状に曲げられている。第１側板部２Ｂおよび第２側板部２Ｃの取付孔２１は、この断面凹状の底部分に設けられている。この第１側板部２Ｂおよび第２側板部２Ｃの断面凹状の部分は、後述するように、第１側板部２Ｂの取付孔２１または第２側板部２Ｃの取付孔２１にボルト・ナットにより共締めされた際に、パイプ材周りに取付金具３が回転可能な隙間を確保するための空間を形成する空間形成部２３を構成している。
【００１９】
取付金具３は、図５に示すように、帯状の鋼板を曲げることによって形成されており、パイプ材の周りを囲む略Ｃ字状の支持部３０と、支持部３０の略Ｃ字状の開口部分の端部から略平行に延びて保持金具本体２を挟み込む挟持部３１とを有する。挟持部３１には、それぞれ貫通させた取付孔３２が設けられている。取付孔３２は、支持部３０の端部から挟持部３１が延びる方向に長い矩形状となっている。なお、取付孔３２は、円形状や楕円形状としても良い。
【００２０】
取付金具３は、図６および図７に示すように、保持金具本体２の第１側板部２Ｂの取付孔２１または第２側板部２Ｃの取付孔２１に、取付孔３２を用いて図示しないボルト・ナットにより共締めされる。図６は保持金具本体２の広い幅Ｗ１側、すなわち第１側板部２Ｂの取付孔２１を用いて取り付ける例を示し、図７は保持金具本体２の狭い幅Ｗ２側、すなわち第２側板部２Ｃの取付孔２１を用いて取り付ける例を示している。図６および図７に示すように、本実施形態における保持金具１は、保持金具本体２の第１側板部２Ｂまたは第２側板部２Ｃのいずれか一方を選択して使用することで、これを取り付けるパイプ材の中心から保持部２０までの距離を変えることが可能となっている。
【００２１】
次に、上記構成の保持金具１の使用例について説明する。なお、以下で説明する例においては、保持金具本体２の保持部２０の幅（図２の“２Ａ”の長さに相当。）は５２ｍｍであり、Ｗ１＝２９ｍｍ、Ｗ２＝１５ｍｍである。図８はビニールハウスのドアの閂（角パイプ）を保持する保持装置としての使用例を示す斜視図、図９は図８のＩＸ部拡大図、図１０は保持対象部材として、ビニールハウスのドアの閂（丸パイプ）を保持する保持装置としての使用例を示す斜視図、図１１は図１０のＸＩ部拡大図である。
【００２２】
図８に示すように、ビニールハウス４の出入口には、ドア５が左右スライド自在に設けられているとする。強風が吹いたときにドア５がビニールハウス４の内側（図８の手前側）へ吹き飛ばされるのを防止するため、閂６を取り付ける。図８に示す閂６は５０ｍｍ×５０ｍｍの角パイプである。
【００２３】
本実施形態における保持金具１を、このドア５の閂６を保持する保持装置として使用する場合、図９に示すように、ドア５を挟む位置にあるパイプ材４Ａ，４Ｂに、それぞれ保持金具本体２の第１側板部２Ｂをパイプ材４Ａ，４Ｂに向け、取付金具３を用いて取り付ける（図６参照。）。このとき、取付金具３の取付孔３２を用いて第１側板部２Ｂの取付孔２１に図示しないボルト・ナットにより共締めする。
【００２４】
こうしてパイプ材４Ａ，４Ｂに取り付けられた取付金具３の保持部２０の上方から閂６を差し入れることで、ドア５のビニールハウス４の内側を押さえ、強風が吹いたときにドア５がビニールハウス４の内側へ吹き飛ばされるのを防止することができる。また、図９に示す例では、上記のように保持金具１を取り付けたパイプ材４Ａ，４Ｂの上方であって、ドア５の邪魔にならない同じ高さの位置にそれぞれ別の保持金具１を同様に取り付けており、閂６を使用しない場合には、この保持金具１上に閂６を置いておくことができる。
【００２５】
また、本実施形態における保持金具１では、保持金具本体２に、パイプ材４Ａ，４Ｂ周りに取付金具３が回転可能な隙間を確保するための空間を形成する空間形成部２３を有しているため、閂６を使用しない場合には、ボルト・ナットを緩めることなく、取付金具３とともに保持金具本体２をパイプ材４Ａ，４Ｂ周りに回転させて畳むことが可能であり、保持金具１が邪魔にならない。なお、空間形成部２３を有する保持金具１の場合、保持金具１は、パイプ材４Ａ，４Ｂの延びる方向の位置が拘束されないが、パイプ材４Ａ，４Ｂにはフィルム止め部材８やその他の部品が取り付けられており、その位置が拘束されるため落下しない。
【００２６】
なお、本実施形態における保持金具１は、上述のように、保持金具本体２の第１側板部２Ｂをパイプ材４Ａ，４Ｂに向け、取付金具３を用いて取り付けた場合に、５０ｍｍ×５０ｍｍの角パイプである閂６を保持すると、閂６は支持面２２Ａ，２２Ｂ，２２Ｃに支持され、閂６がドア５の内側をしっかりと押さえることが可能なように、保持金具本体１の保持部２０の幅、Ｗ１およびＷ２が設定されている。なお、閂６として、外径４８．６ｍｍの丸パイプを用いても良い。
【００２７】
一方、図１０に示す閂７は、外径３１．８ｍｍの丸パイプである。この閂７を保持する保持装置として保持金具１を使用する場合、図１１に示すように、パイプ材４Ａ，４Ｂに、それぞれ保持金具本体２の第２側板部２Ｃをパイプ材４Ａ，４Ｂに向け、取付金具３を用いて取り付ける（図７参照。）。このとき、取付金具３の取付孔３２を用いて第２側板部２Ｃの取付孔２１に図示しないボルト・ナットにより共締めする。
【００２８】
この場合、保持部２０に外径３１．８ｍｍの丸パイプである閂７を保持すると、保持部２０の第２側板部２Ｃ側の支持面２２Ｃとの間に隙間を生じるが、保持部２０の第１側板部２Ｂ側の支持面２２Ｂの位置がパイプ材４Ａ，４Ｂに近くなり、閂６よりも細い閂７によりドア５の内側をしっかりと押さえることが可能となっている。なお、閂７として、３２ｍｍ×３２ｍｍの角パイプを用いても良い。
【００２９】
なお、本発明の保持金具１は、ドア５を挟む位置以外にも使用することが可能である。また、保持対象部材として閂以外の長尺部材や、その他の部材を保持するために使用することも可能である。
【産業上の利用可能性】
【００３０】
本発明の保持金具およびこれを用いた保持装置は、ビニールハウスを構成するパイプ材を利用して他の部材、特に、閂等の長尺部材を保持するための保持金具およびこれを用いた保持装置として有用である。
【符号の説明】
【００３１】
１  保持金具
２  保持金具本体
２Ａ  底板部
２Ｂ  第１側板部
２Ｃ  第２側板部
２０  保持部
２１  取付孔
２２Ａ，２２Ｂ，２２Ｃ  支持面
２３  空間形成部
３  取付金具
３０  支持部
３１  挟持部
３２  取付孔
４  ビニールハウス
４Ａ，４Ｂ  パイプ材
５  ドア
６，７  閂
【図１】
2018093774.tif 000003
【図２】
2018093774.tif 000004
【図３】
2018093774.tif 000005
【図４】
2018093774.tif 000006
【図５】
2018093774.tif 000007
【図６】
2018093774.tif 000008
【図７】
2018093774.tif 000009
【図８】
2018093774.tif 000010
【図９】
2018093774.tif 000011
【図１０】
2018093774.tif 000012
【図１１】
2018093774.tif 000013